(57)【要約】【課題】着用時に巾着やポーチ、鞄等の小物入れを携帯することなく、両手を自由にした状態で小物を肌身離さず簡単に所持し、利便性の向上を図る。【解決手段】本発明に係る和服１０は、袖１１の内側にポケット１２が設けられ、前袖１３と後袖２１の少なくともいずれか一方側にポケット１２の出し入れ口１４が設けられていることを特徴とし、出し入れ口１４は、袖付１５側から外側斜め下方に向って設けられたファスナー１６により構成され、また、ポケット１２は、内袋１８の一端１９を前袖１３に縫着し、内袋１８の他端２０を後袖２１に縫着することにより袖１１の内側に取り付けられているのが好ましい。【選択図】図１
2011038220.tif 000002
【特許請求の範囲】
【請求項１】
袖の内側にポケットが設けられ、前袖と後袖の少なくともいずれか一方側にポケットの出し入れ口が設けられていることを特徴とする和服。
【請求項２】
前記出し入れ口は、袖付側から外側斜め下方に向って設けられたファスナーにより構成されている請求項１に記載の和服。
【請求項３】
前記ポケットは、内袋の一端を前袖に縫着し、内袋の他端を後袖に縫着することにより袖の内側に取り付けられている請求項１又は２に記載の和服。
【発明の詳細な説明】
【技術分野】
【０００１】
本発明は、長着、浴衣、甚平、作務衣等の和服に関し、特に、袖の内側にポケットが設けられた和服に関するものである。
【背景技術】
【０００２】
近年、夏の風情豊かな行事とされてきた花火大会は年中行事となり、浴衣を着る機会が増加しており、アミューズメント施設や商業複合施設では浴衣着用者へプレゼントを進呈したり、様々な割引を設定したりしている。また、浴衣や甚平は温泉施設や旅館・ホテルにまで浸透し、お客が好みの柄や色を選べるサービスも広まっている。また、日常着となった洋服から和服への着替えは粋を表し、新鮮さを増す効果もあり、心理的な部分においても人々に良い影響を与えている。
【０００３】
一方、和服には着用に技術を要するといった欠点がある。そこで、最近では、二部式の和服や、ワンピースに上衣をジャケットのように羽織るだけの略式の和服などが考えられ、進化を遂げている。また、企業によっては無料で着用技術を伝授するサービスを行っている。さらに、若い女性が兵児帯をアレンジ結びで使用し、ヘアアレンジをし、キラキラした小物を帯締めのように使用したりして、オシャレ度も高まってきている。
【０００４】
このような背景により、最近特に、人々の和服への関心が高まり、和服が身近になってきている。
（例えば、非特許文献１参照）。
【先行技術文献】
【非特許文献】
【０００５】
【非特許文献１】ＹＡＨＯＯショッピング、きもの町ウェブサイト                http://store.shopping.yahoo.co.jp/kimonomachi/004692.html
【発明の概要】
【発明が解決しようとする課題】
【０００６】
しかしながら、上記した従来の和服には、ポケット等の小物を収納するスペースがないため、和服の着用時には巾着やポーチ、鞄等の小物入れを携帯する必要があり、面倒であった。
【０００７】
特に、男性や子供は、小物入れを携帯することを好まない傾向があり、例え小物入れを持ったとしても、その習慣がないため、貴重品等を入れた小物入れをどこかに置き忘れたりするおそれがあった。
【０００８】
一方、女性が温泉施設や旅館において浴場に行く際には、生理用ナプキンや下り物シート、高齢者の場合の尿漏れシート等、他人に見られたくないものを携帯したい場合にわざわざ小物入れに入れて持って行く必要があり、非常に煩わしかった。
【０００９】
本発明は、上記した課題を解決すべくなされたものであり、小物を肌身離さず簡単に所持することができるため、利便性を高めることができ、大人子供を問わずに安心して過ごせると共に子供の所持品管理能力を育て、自立心の育成にも繋げることができる和服を提供することを目的とするものである。
【課題を解決するための手段】
【００１０】
上記した目的を達成するため、本発明に係る和服は、袖の内側にポケットが設けられ、前袖と後袖の少なくともいずれか一方側にポケットの出し入れ口が設けられていることを特徴とする。
【００１１】
そして、本発明の和服において、前記出し入れ口は、袖付側から外側斜め下方に向って設けられたファスナーにより構成されているのが好ましい。
【００１２】
また、本発明の和服において、前記ポケットは、内袋の一端を前袖に縫着し、内袋の他端を後袖に縫着することにより袖の内側に取り付けられているのが好ましい。
【発明の効果】
【００１３】
本発明によれば、着用時に巾着やポーチ、鞄等の小物入れを携帯することなく、両手を自由にした状態で小物を肌身離さず簡単に所持することができるため、利便性の向上を図ることができる等、種々の優れた効果を得ることができる。
【図面の簡単な説明】
【００１４】
【図１】本発明の実施の形態に係る和服を示す平面図である。
【図２】図１のＡ−Ａ矢視図である。
【発明を実施するための形態】
【００１５】
以下、図面を参照しつつ、本発明の実施の形態について説明する。ここで、図１は本発明の実施の形態に係る和服を示す平面図、図２は図１のＡ−Ａ矢視図である。なお、以下の説明では、本発明を長着に適用した場合について例示して説明する。
【００１６】
本実施の形態に係る和服１０には、袖１１の内側にポケット１２が設けられており、前袖１３側には、ポケット１２の出し入れ口１４が取り付けられている。この出し入れ口１４は、袖付１５側から外側斜め下方に向って直線状に内付けされた線ファスナー１６により構成されており、線ファスナー１６には２個のスライダー１７ａ，１７ｂが取り付けられている。なお、袖１１に鋏を入れることは、成人式の振袖を切って式服等にして永く使用できるように工夫してきた日本人にとって違和感なく受け入れられることである。
【００１７】
図２に良く示されているように、ポケット１２は、内袋１８の一方の上端１９を前袖１３に縫着し、内袋１８の他方の上端２０を後袖２１に縫着すると共に、出し入れ口１４が開放可能なように内袋１８を出し入れ口１４の近傍部分２２，２３に縫着することにより、袖１１の内側に取り付けられている。また、内袋１８の上端部分の袖付１５側と袖口２４には、袖付１５と袖口２４との間に着用者の腕が通り易いように非縫着部分２５が形成されている。さらに、内袋１８は、袖口２４等から内袋１８が見えても目立たなくするため、袖１１の布と同色の布を使用するのが好ましい。
【００１８】
上記した構成を備えた和服を着用し、ポケット１２に対して小物を出し入れするために出し入れ口１４を開放する時に線ファスナー１６の２個のスライダー１７ａ，１７ｂが図２に示すように上側の位置にある場合には、下側のスライダー１７ｂを外側斜め下方に向かってスライドさせる。その後、出し入れ口１４を閉鎖する時には、袂２６の外側部分を袖口２４から出ている手で摘んだ上でこのスライダー１７ｂを袖付１５側に向かってスライドさせる。
【００１９】
一方、敢えて説明する迄もないが、出し入れ口１４を開放する時に線ファスナー１６の２個のスライダー１７ａ，１７ｂが下側の位置にある場合には、出し入れ口１４の開放動作と閉鎖動作を上記した動作と反対に行う。
【００２０】
このように、本発明の実施の形態に係る和服によれば、袖１１の内側にポケット１２が設けられているため、着用時に巾着やポーチ、鞄等の小物入れを携帯する必要がなく、両手を自由に使用することができ、利便性の向上を図ることができると共に、万一、内袋１８が破れたとしても、ポケット１２に収納されている小物を袂２６が受け止めてくれるため、着用者に安心感を与えることができる。
【００２１】
特に、男性や子供が小物入れを携帯する必要がないため、貴重品等を入れた小物入れをどこかに置き忘れたりすることもない。また、女性が温泉施設や旅館において浴場に行く際に、生理用ナプキンや下り物シート、高齢者の場合の尿漏れシート等、他人に見られたくないものをポケット１２に収納することができるため、浴場にわざわざ小物入れに入れて持って行く煩わしさを取り除くことができる。さらに、子供に対しては、所持品管理能力を養い、自立心の育成にも繋げることができる。
【００２２】
また、出し入れ口１４の線ファスナー１６が袖付側から外側斜め下方に向って設けられているため、着用時の線ファスナー１６の操作性が向上し、ポケット１２に対する小物の出し入れ動作を円滑且つ容易に行うことができるようになる。
【００２３】
さらに、ポケット１２の内袋１８の一方の上端１９が前袖１３に縫着され、内袋１８の他方の上端２０が後袖２１に縫着されているため、ポケット１２に収納される小物によって袖１１に掛かる負荷が前袖１３と後袖２１に分散され、着崩れを防止することができると共に、見た目の美しさを保持することができる。
【００２４】
なお、上記した実施の形態では、出し入れ口１４に２個のスライダー１７ａ，１７ｂを備えた線ファスナー１６を設けているが、これは単なる例示に過ぎず、出し入れ口１４には、１個のスライダーのみを備えた線ファスナーを設けたり、或いは線ファスナーの代わりに面ファスナーを設けたりしてもよい。
【００２５】
また、ポケット１２は両袖に設けてもよく、ポケット１２の出し入れ口１４は、前袖１３側の代わり又は前袖１３側と共に後袖２１側に設けてもよい。さらに、出し入れ口１４に線ファスナー１６を内付けではなく外付けとすることにより、デザイン的にあえて目立たせてもよい。
【００２６】
さらに、上記した実施の形態では、本発明を長着に適用した場合について例示して説明したが、本発明はこの場合に限定されるものではなく、浴衣、甚平、作務衣等の他の和服にも適用可能であることは言う迄もない。
【符号の説明】
【００２７】
１０          和服
１１          袖
１２          ポケット
１３          前袖
１４          出し入れ口
１５          袖付
１６          ファスナー
１８          内袋
１９          一方の上端
２０          他方の上端
２１          後袖
【図１】
2011038220.tif 000003
【図２】
2011038220.tif 000004